(57)【特許請求の範囲】
【請求項１】
ユーザの行動予定の内容情報が入力される内容欄と、前記行動予定の締切日の情報が入力されるスケジュール締切日欄と、前記行動予定のユーザが入力した優先順位情報が入力される第１優先順位欄と、前記行動予定の第三者が入力した優先順位情報が入力される第２優先順位欄とからなるスケジュール管理用項目を複数記憶する項目記憶部と、
前記内容欄，スケジュール締切日欄，第1優先順位欄に情報を入力するための第１入力部と、
前記内容欄，スケジュール締切日欄，第２優先順位欄に情報を入力するための第２入力部と、
前記各入力部より各欄に入力された情報を記憶する情報記憶部と、
前記入力された情報をスケジュール管理用項目と共に表示する表示部と、
前記スケジュール管理用項目をソートするソート部と
を備えたことを特徴とするスケジュール管理装置。
【請求項２】
ユーザの行動予定の内容情報が入力される内容欄と、前記行動予定の締切日の情報が入力されるスケジュール締切日欄と、前記行動予定のユーザが入力した優先順位情報が入力される第１優先順位欄と、前記行動予定の第三者が入力した優先順位情報が入力される第２優先順位欄と、前記行動予定が第三者により入力されたことを示す情報が入力される追加欄とからなるスケジュール管理用項目を複数記憶する項目記憶部と、
前記内容欄，スケジュール締切日欄，第1優先順位欄に情報を入力するための第１入力部と、
前記内容欄，スケジュール締切日欄，第２優先順位欄に情報を入力するための第２入力部と、
第２優先順位欄に優先順位情報を入力するための第３入力部と、
前記各入力部より各欄に入力された情報を記憶する情報記憶部と、
前記入力された情報をスケジュール管理用項目と共に表示する表示部と、
前記第1入力部と共に用いられ、締切日の情報，第１優先順位の情報の順でスケジュール管理用項目をソートする第１ソート部と、
前記第２入力部と共に用いられ、締切日の情報，第２優先順位の情報の順でスケジュール管理用項目をソートする第２ソート部と、
前記第３入力部と共に用いられ、前記第２優先順位情報に基づいて同一締切日のスケジュール管理用項目をソートする第３ソート部と
を備えたことを特徴とするスケジュール管理装置。
【発明の詳細な説明】
【０００１】
【発明の属する技術分野】
本発明はパーソナルコンピュータまたはそれに準じるようなたとえば電子手帳等のスケジュール管理装置の制御方法及びそのコンピュータプログラムを記録した記録媒体，並びにスケジュール管理装置に関し、より具体的にはそのような情報端末装置上で動作するスケジュール管理用アプリケーションソフトウェアの”ｔｏｄｏ”リストに関する。
【０００２】
【従来の技術】
近年、パーソナルコンピュータ等の情報端末装置または電子手帳等の携帯情報端末装置上で使用可能なスケジュール管理用アプリケーションソフトウェアが普及している。この種のスケジュール管理用アプリケーションソフトウェアには、そのユーザがしなければならない仕事をリストアップした”ｔｏｄｏ”リストと称されるリストが用意されている。この”ｔｏｄｏ”リストには、ユーザが今後しなければならない行動予定が各項目に列挙されており、その各項目にはそれぞれの予定の締切日，優先順位等の属性が付加されている。各項目はその予定の緊急の順または締切日順にソートされて表示される。ユーザはその表示状態を見ることにより、締切日と緊急度とを勘案して列挙されている仕事を処理する。
【０００３】
従来の一般的な”ｔｏｄｏ”リストの例を図１１に示す。図１１において、参照符号Ｃ１，  Ｃ２…は”ｔｏｄｏ”リストに登録されている各スケジュール管理用項目を示し、それぞれの項目Ｃ１，  Ｃ２…はそれぞれ、少なくとも締切日欄Ｒ１，  優先順位欄Ｒ２及び内容欄Ｒ３で構成されている。これらの各欄の内の締切日欄Ｒ１，  優先順位欄Ｒ２及び内容欄Ｒ３は、締切日，  ユーザにより指定された優先順位，  予定の内容をそれぞれ登録するために用意されている。
【０００４】
また、参照符号Ｂ１乃至Ｂ４はそれぞれ、スケジュール管理用項目の新規登録を指示するための新規登録ボタン（Ｂ１），  登録済のいずれかの項目を指定してそのいずれかの欄を修正することを指示するための修正ボタン（Ｂ２），  この”ｔｏｄｏ”リストを終了させるための終了ボタン（Ｂ３），  登録済の項目のソートを行なわせるためのソートボタン（Ｂ４）を示している。
【０００５】
なお、これらのボタンＢ１乃至Ｂ４はマウス４により指示することも、キーボード３の特定のキーボードに割り当てておくことも可能である。
【０００６】
なお、優先順位欄Ｒ２に入力されている優先順位はアルファベットで付与されており、Ａが最上位の優先度であり、以下Ｂ，Ｃ…のアルファベット順になっている。ソートは、基本的には締切日の早い順に、具体的には締切日欄Ｒ１に入力されている日付のデータの小さい順いにソートされ、締切日が同一である場合には補助的に優先順位に従ってソートされる。
【０００７】
また、図１１に示されている例では、第１項目Ｃ１の内容は「２月２０日に行なった打合せの議事録を読んでおくこと」であり、締切日が３月２日であり、優先順位はＢである。第２項目Ｃ２の内容は「開発機器の仕様書を作成すること」であり、締切日が３月２日であり、優先順位はＡである。第３項目Ｃ３の内容は「業務レポートを作成すること」であり、締切日が３月１日であり、優先順位はＣである。第４項目Ｃ４の内容は「２月２８日の出張の報告書を作成すること」であり、締切日が３月２日であり、優先順位がＣである。
【０００８】
勿論、この図１１に示されている”ｔｏｄｏ”リストをソートボタンＢ４を指示してソートすると、図１２に示されているように、項目Ｃ３，  Ｃ２，  Ｃ１，  Ｃ４の順に並べ換えられることは言うまでもない。
【０００９】
【発明が解決しようとする課題】
ところで、上述したように、従来のスケジュール管理用アプリケーションソフトウェアの”ｔｏｄｏ”リストは、そのソフトウェアのユーザが各項目の予定に関する締切日と緊急度とを入力すると、ソフトウェアが各項目を自動的にソートしてその結果を表示することにより、ユーザに対してソート順に各予定を処理するように促す。
【００１０】
しかし、このような従来の”ｔｏｄｏ”リストの手法では、複数の社員で一つのプロジェクトチーム組んで業務を遂行するような場合に、チームメンバ（担当者）全員がリーダー（所属長）の意図する方向に向かって仕事を遂行しているかという点に関しては明らかにはならない。たとえば、所属長が重要と考えている仕事を担当者の方ではそのようには認識していない場合があったり、また所属長が指示した業務を担当者が失念しているような場合もあり得るため、業務遂行に支障を来す虞が生じる。
【００１１】
本発明はこのような事情に鑑みてなされたものであり、スケジュール管理用アプリケーションソフトウェアの”ｔｏｄｏ”リストをユーザ以外の第三者によるチェックを可能にすることにより、プロジェクトチームを組むような場合のリーダーと他のチームメンバとの間の業務遂行上の意志統一を図れるようにしたスケジュール管理装置の提供を目的とする。
【００１２】
【課題を解決するための手段】
本発明に係るスケジュール管理装置及びその制御方法は基本的には、アプリケーションソフトウェアの”ｔｏｄｏ”リストの各スケジュール管理用項目に本来の優先順位の欄（第一の優先順位の欄）に加えて第２の優先順位の欄を用意する。また、”ｔｏｄｏ”リストに本来登録されているスケジュール管理用項目の他に追加項目を設定することを可能とし、その追加項目が追加項目であることを示す所定の情報が表示される欄をも用意する。
【００１３】
このような本発明のスケジュール管理装置及びその制御方法では基本的には、アプリケーションソフトウェアの”ｔｏｄｏ”リストの各項目にユーザ自身が登録した優先順位（第１の優先順位）に加えて、第三者が第２の優先順位を登録することが可能になる。また、第三者が”ｔｏｄｏ”リスト中に追加項目を設定することが可能であると共に、その項目が第三者により追加された項目であることが明示される。
【００１４】
本発明に係るスケジュール管理装置は、ユーザの行動予定の内容情報が入力される前記内容欄と、前記行動予定の締切日の情報が入力されるスケジュール締切日欄と、前記行動予定のユーザが入力した優先順位情報が入力される第１優先順位欄と、前記行動予定の第三者が入力した優先順位情報が入力される第２優先順位欄とからなるスケジュール管理用項目を複数記憶する項目記憶部と、前記内容欄，スケジュール締切日欄，第１優先順位欄に情報を入力するための第１入力部と、前記内容欄，スケジュール締切日欄，第２優先順位欄に情報を入力するための第２入力部と、前記各入力部より各欄に入力された情報を記憶する情報記憶部と、前記入力された情報をスケジュール管理用項目と共に表示する表示部と、前記スケジュール管理用項目をソートするソート部とを備えたことを特徴とする。
【００１５】
本発明に係るスケジュール管理装置は、ユーザの行動予定の内容情報が入力される前記内容欄と、前記行動予定の締切日の情報が入力されるスケジュール締切日欄と、前記行動予定のユーザが入力した優先順位情報が入力される第１優先順位欄と、前記行動予定の第三者が入力した優先順位情報が入力される第２優先順位欄と、前記行動予定が第三者により入力されたことを示す情報が入力される追加欄とからなるスケジュール管理用項目を複数記憶する項目記憶部と、前記内容欄，スケジュール締切日欄，第１優先順位欄に情報を入力するための第１入力部と、前記内容欄，スケジュール締切日欄，第２優先順位欄に情報を入力するための第２入力部と、第２優先順位欄に優先順位情報を入力するための第３入力部と、前記各入力部より各欄に入力された情報を記憶する情報記憶部と、前記入力された情報をスケジュール管理用項目と共に表示する表示部と、前記第１入力部と共に用いられ、締切日の情報，第１優先順位の情報の順でスケジュール管理用項目をソートする第１ソート部と、前記第２入力部と共に用いられ、締切日の情報，第２優先順位の情報の順でスケジュール管理用項目をソートする第２ソート部と、前記第３入力部と共に用いられ、前記第２優先順位情報に基づいて同一締切日のスケジュール管理用項目をソートする第３ソート部とを備えたことを特徴とする。
【００１８】
【発明の実施の形態】
以下、本発明をその実施の形態を示す図面に基づいて詳述する。図１は本発明に係るスケジュール管理装置の一例としてのパーソナルコンピュータの外観を示す模式図である。
【００１９】
図１において、参照符号ＰＣは本発明のスケジュール管理装置としてのパーソナルコンピュータを示しており、ＣＰＵ，メモリ，  補助記憶装置  （フレキシブルディスクドライブ，  ハードディスクドライブ等）  等を内蔵している本体１と、表示装置である  ＣＲＴディスプレイ２と、入力装置であるキーボード３及びマウス４等で構成されている。
【００２０】
なお、参照符号５はハードディスクドライブを示しており、スケジュール管理アプリケーションソフトウェア、即ち本発明に係るコンピュータプログラムを記録した参照符号６にて示されている記録媒体としてのハードディスクからプログラムを読み込む。
【００２１】
図２は上述のパーソナルコンピュータＰＣの機能構成を示す機能ブロック図である。図２において、本体１には全体の制御を司る制御手段としての制御部１１，  スケジュール管理用アプリケーションソフトウェアを記憶したプログラム記憶部１２，種々のデータを記憶するための記憶手段としてのデータ記憶部１３等が含まれる。なお、ハードウェアとしては、制御部１１はＣＰＵ  であり、プログラム記憶部１２はハードディスク６が装入されたハードディスクドライブ５であり、データ記憶部１３は  ＲＡＭである。但し、プログラム記憶部１２としては、ハードディスク６が装入されたハードディスクドライブ５に代えて予めスケジュール管理アプリケーションソフトウェアが格納された  ＲＯＭを使用することも可能である。
【００２２】
また、データ記憶部１３には、後述するスケジュール管理用項目の各情報、即ち締切日の情報（時間に関する情報）を記憶する第１の記憶領域としての締切日領域Ａ１，  第１優先順位の情報を記憶する第２の記憶領域としての第１優先順位領域Ａ２，  行動予定の内容の情報を記憶する内容記憶領域Ａ３，  ユーザ以外の第三者によりスケジュール管理用項目が登録された場合にその旨を示すマーク  （たとえば「＊」）  を記憶する追加項目記憶領域Ａ４，  ユーザ以外の第三者により登録された優先順位を記憶する第２優先順位領域Ａ５が用意されている。
【００２３】
また、本体１には入力部１４及び表示部１５が接続されている。入力部１４は第１及び第２の登録手段、更に優先順位登録手段として機能し、ユーザが種々のデータを入力したり、指示を与えたり、表示部１５の表示画面上で位置を指示するために使用され、図１のキーボード３及びマウス４が相当する。また、表示部１５は制御部１１が種々の情報を表示するために使用される。
【００２４】
このような本発明のスケジュール管理装置の動作、即ち本発明のスケジュール管理装置の制御方法について、図３に示されている制御部１１による制御手順を示すフローチャート及び  ＣＲＴディスプレイ２（表示部１５）による表示画面を示す図４乃至図９の模式図を参照して説明する。
【００２５】
いまたとえばユーザによりスケジュール管理用項目がいくつか登録された図４に示されているような”ｔｏｄｏ”リストが  ＣＲＴディスプレイ２に表示されているとする。この表示画面の構成は具体的には以下の如くである。
【００２６】
参照符号Ｃ１，  Ｃ２…は”ｔｏｄｏ”リストに登録されている各スケジュール管理用項目を示し、それぞれの項目Ｃ１，  Ｃ２…はそれぞれ、追加欄Ｒ４，  締切日欄Ｒ１，  第１優先順位欄Ｒ２，  第２優先順位欄Ｒ５及び内容欄Ｒ３で構成されている。これらの各欄の内の締切日欄Ｒ１，  第１優先順位欄Ｒ２及び内容欄Ｒ３は従来例と同様に、締切日，  ユーザにより指定された優先順位，  予定の内容をそれぞれ登録するために用意されている。なお、締切日欄Ｒ１の情報はデータ記憶部１３の締切日領域Ａ１に、第１優先順位欄Ｒ２の情報はデータ記憶部１３の第１優先順位領域Ａ２に、内容欄Ｒ３の情報はデータ記憶部１３の内容記憶領域Ａ３にそれぞれ記憶される。
【００２７】
それ以外の追加欄Ｒ４及び第２優先順位欄Ｒ５は本発明を特徴付ける欄であり、追加欄Ｒ４は個々の項目がユーザ以外の第三者により追加登録されたことを示すマーク  （たとえば「＊」）  を自動的に付加するために、第２優先順位欄Ｒ５はユーザ以外の第三者により追加登録された優先順位を表示するためにそれぞれ用意されている。なお、追加欄Ｒ４の情報はデータ記憶部１３の追加項目記憶領域Ａ４に、第２優先順位欄Ｒ５の情報はデータ記憶部１３の第２優先順位領域Ａ５にそれぞれ記憶される。
【００２８】
また、参照符号Ｂ１乃至Ｂ６はそれぞれ、スケジュール管理用項目の新規登録を指示するための新規登録ボタン（Ｂ１），  登録済のいずれかの項目を指定してそのいずれかの欄を修正することを指示するための修正ボタン（Ｂ２），  この”ｔｏｄｏ”リストを終了させるための終了ボタン（Ｂ３），  登録済の項目のソートを行なわせるためのソートボタン（Ｂ４），  ユーザ以外の第三者が項目の追加登録を行なうことを指示するための追加登録ボタン（Ｂ５），  ユーザ以外の第三者が第２優先順位の登録を行なうことを指示するための第２優先順位登録ボタン（Ｂ６）を示している。
【００２９】
なお、新規登録ボタンＢ１が指示された場合に入力部１４は第１の登録手段として機能し、追加登録ボタンＢ５が指示された場合に入力部１４は第２の登録手段として機能し、第２優先順位登録ボタンＢ６が指示された場合に入力部１４は優先順位登録手段として機能する。
【００３０】
なお、これらのボタンＢ１乃至Ｂ６はマウス４により指示することも、キーボード３の特定のキーボードに割り当てておくことも可能であり、いずれにしろそれらが指示されることにより、入力部１４がそれぞれに対応して機能し、制御部１１が後述するように対応する制御を行なう。
【００３１】
なお、第１優先順位欄Ｒ２及び第２優先順位欄Ｒ５に入力されている優先順位はアルファベットで付与されており、Ａが最上位の優先度であり、以下Ｂ，Ｃ…のアルファベット順になっている。ソートは、基本的には締切日の早い順に、具体的には締切日欄Ｒ１に入力されている日付のデータの小さい順いにソートされ、締切日が同一である場合には補助的に優先順位に従ってソートされる。
【００３２】
また図４に示されている例では、第１項目Ｃ１の内容は「２月２０日に行なった打合せの議事録を読んでおくこと」であり、締切日が３月２日であり、優先順位はＢである。第２項目Ｃ２の内容は「開発機器の仕様書を作成すること」であり、締切日が３月２日であり、優先順位はＡである。第３項目Ｃ３の内容は「業務レポートを作成すること」であり、締切日が３月１日であり、優先順位はＣである。
【００３３】
この図４に示されているような  ＣＲＴディスプレイ２の表示状態において新たに一つの項目を登録する場合、たとえばユーザが新規登録ボタンＢ１をマウス４で指示すると  （ステップＳ１）  、制御部１１はそれが項目の新規登録であることを検出する  （ステップＳ２，  Ｓ３）  。そして、制御部１１はキーボード３，  マウス４の操作によりユーザが入力した各欄のデータを一つの項目のデータとしてデータ記憶部１３に記憶させる  （ステップＳ４）  。
【００３４】
たとえば、図５に示されているように、ユーザがキーボード３及びマウス４を操作して、内容が「２月２８日の出張の報告書を作成すること」であり、締切日が３月２日であり、優先順位がＣである第４項目Ｃ４を新たに入力したとすると、制御部１１はそれらのデータを一つの項目のデータとしてデータ記憶部１３に記憶させる。そして、ユーザがソートボタンＢ４を指示すると  （ステップＳ５）  、制御部１１はデータ記憶部１３に記憶されている全ての項目を締切日でソートし  （ステップＳ６）  、その結果同一の締切日の項目の組み合わせが存在する場合にはそれらを第１優先順位でソートする  （ステップＳ７）  。
【００３５】
具体的には、制御部１１はまず、データ記憶部１３に記憶されている全項目Ｃ１，  Ｃ２…の締切日欄Ｒ１の日付のデータを調べて小さい順に並び換える。そして、その結果、締切日が同一の項目の組み合わせが存在する場合にはそれらの間で第１優先順位欄Ｒ２を調べてアルファベット順に並べ換える。そして、制御部１１はソート結果を  ＣＲＴディスプレイ２に表示する  （ステップＳ８）  。
【００３６】
図５に示されている”ｔｏｄｏ”リストの各項目を制御部１１がソートすると、その結果が図６に示されているように  ＣＲＴディスプレイ２に表示される。具体的には、第一番目には締切日が３月１日で最も早い項目Ｃ３が配列され、第二番目以降は締切日が３月２日で同一である項目Ｃ１，  Ｃ２，  Ｃ４が配列されるが、それらの内では第１優先順位がＡである項目Ｃ２，  同じくＢである項目Ｃ１，  同じくＣである項目Ｃ４の順に配列される。
【００３７】
この図６に示されているようなユーザが自分で登録を行なった状態の”ｔｏｄｏ”リストに対して第三者が追加を行なう場合には、追加登録ボタンＢ５を指示する。これにより、項目の登録が指示され  （ステップＳ２）  、しかもそれが追加登録であることが判断されるので  （ステップＳ２で”ＹＥＳ”）、制御部１１はキーボード３，  マウス４の操作によりユーザが入力した各欄のデータを一つの項目のデータとしてデータ記憶部１３に記憶させると共に、その項目の追加欄Ｒ４にマーク「＊」を付加する  （ステップＳ９）  。
【００３８】
たとえば、第三者がキーボード３及びマウス４を操作して内容が「開発機器のプレゼンテーション用の資料を作成すること」であり、締切日が３月３日であり、優先順位がＡである第５項目Ｃ５を新たに入力したとすると、制御部１１は図７に示されているような表示を  ＣＲＴディスプレイ２に行なう。
【００３９】
更に、第三者が第２優先順位の追加登録を行なう場合には、第２優先順位登録ボタンＢ６を指示する。これにより、第２優先順位の登録が指示され  （ステップＳ１３）、たとえば図８に示されているように、第三者がたとえばキーボード３の数字キーの操作により  ＣＲＴディスプレイ２の画面に入力した数字を制御部１１が表示画面の各項目Ｃ１，  Ｃ２…の第２優先順位欄Ｒ５に順次表示すると共にデータ記憶部１３に記憶する  （ステップＳ１４）。
【００４０】
そして、第三者がソートボタンＢ４を指示すると  （ステップＳ１５）、制御部１１はデータ記憶部１３に記憶されている全ての項目を第２優先順位でソートし  （ステップＳ１２）、その結果を図９に示されているように  ＣＲＴディスプレイ２に表示する  （ステップＳ８）  。
【００４１】
たとえば、図７に示されているような状態の”ｔｏｄｏ”リストに対して第三者が項目Ｃ１と項目Ｃ４とのとの優先順位を入れ換えた場合、具体的には第１優先順位がＢである項目Ｃ１の第２優先順位にＣを登録し、第１優先順位がＣである項目Ｃ４の第２優先順位にＢを登録した場合、図９に示されているように、最終的には第２優先順位欄Ｒ５に登録されている優先順位で再ソートされて項目Ｃ３，  Ｃ２，  Ｃ４，  Ｃ１，  Ｃ５の順に並べ換えられて  ＣＲＴディスプレイ２に表示され、更に項目Ｃ５の追加欄Ｒ４にはその項目が第三者により追加されたことを示すマーク「＊」が入力される。
【００４２】
ところで、上述の実施の形態では、本発明のスケジュール管理装置としての一つのパーソナルコンピュータＰＣ上に上述した”ｔｏｄｏ”リストを格納しておき、それに対してそのパーソナルコンピュータＰＣのユーザと第三者とがそれぞれキーボード３，マウス４を操作してアクセスすることにより、新規の項目の登録，  登録済の各項目の修正，  追加を行なえるようにしている。
【００４３】
しかし、このような本発明のスケジュール管理装置の”ｔｏｄｏ”リストの実際の使用環境としては、たとえば図１０の模式図に示されているように、社内ネットワーク１００  に接続されたサーバコンピュータ１０１  上に上述した”ｔｏｄｏ”リストを格納しておき、それに対して所属長と複数の担当者とがそれぞれ自分専用のクライアントコンピュータ１０２−１，  １０２−２を介してアクセスすることにより、”ｔｏｄｏ”リストに対する新規の項目の入力，  登録済項目に対する修正，  追加を行なえるようにしておく。データはサーバ上にあるため、社内ネットワーク１００  と公衆回線２００  とを接続しておけば、公衆回線２００  に接続している外部のモデム２０１  を通じてたとえばパーソナルコンピュータ２０２  からアクセスすることも、この”ｔｏｄｏ”リストのフォーマットを読むことが可能な携帯型情報端末装置としての電子手帳２０３  においても無線基地２０４  を介したネットワークでアクセス可能であり、屋外においても常時”ｔｏｄｏ”リストを参照しつつ業務を遂行することが可能になる。
【００４４】
【発明の効果】
以上に詳述したように本発明によれば、複数の社員で一つのプロジェクトチーム組んで業務を遂行するような場合に、チームメンバ（担当者）全員がリーダー（所属長）の意図する方向に向かって仕事を遂行しているかという点に関して、リーダーにとってもチームメンバにとっても容易意志疎通が行なえ、効率的な業務遂行が可能になる。
【００４５】
また、本発明のスケジュール管理装置の各機能構成部を相互に通信回線で接続されたサーバコンピュータ，  クライアントコンピュータ，電子手帳等の端末装置に分散して配置することも可能であるので、遠隔地相互間においても容易に意志疎通が可能になる。
【００４６】
また、本発明のスケジュール管理装置の制御方法のコンピュータプログラムは記録媒体に記録しておくことが可能であるため、種々の情報端末装置、即ちいわゆるパーソナルコンピュータ，ワークステーション，電子手帳等に記録媒体を装着することにより実現可能である。
【図面の簡単な説明】
【図１】本発明に係るスケジュール管理装置の一例としてのパーソナルコンピュータの外観を示す模式図である。
【図２】本発明に係るスケジュール管理装置としてのパーソナルコンピュータの機能構成を示す機能ブロック図である。
【図３】本発明に係るスケジュール管理装置の制御手順を示すフローチャートである。
【図４】本発明に係るスケジュール管理装置の表示画面の一例を示す模式図である。
【図５】本発明に係るスケジュール管理装置の表示画面の一例を示す模式図である。
【図６】本発明に係るスケジュール管理装置の表示画面の一例を示す模式図である。
【図７】本発明に係るスケジュール管理装置の表示画面の一例を示す模式図である。
【図８】本発明に係るスケジュール管理装置の表示画面の一例を示す模式図である。
【図９】本発明に係るスケジュール管理装置の表示画面の一例を示す模式図である。
【図１０】本発明に係るスケジュール管理装置の他の実施の形態を示す模式図である。
【図１１】従来のスケジュール管理装置の表示画面の一例を示す模式図である。
【図１２】従来のスケジュール管理装置の表示画面の一例を示す模式図である。
【符号の説明】
３    キーボード
４    マウス
５    ハードディスクドライブ
６    ハードディスク
１１    制御部
１３        データ記憶部
１４    入力部
１００    社内ネットワーク
２００      公衆回線
Ａ１    締切日領域
Ａ２        第１優先順位領域
Ａ３        内容記憶領域
Ａ４        追加項目記憶領域
Ａ５        第２優先順位領域
Ｂ１        新規登録ボタン
Ｂ４        ソートボタン
Ｂ５        追加登録ボタン
Ｂ６        第２優先順位登録ボタン
【図１】
0003583856.tif 000002
【図２】
0003583856.tif 000003
【図３】
0003583856.tif 000004
【図４】
0003583856.tif 000005
【図５】
0003583856.tif 000006
【図６】
0003583856.tif 000007
【図７】
0003583856.tif 000008
【図８】
0003583856.tif 000009
【図９】
0003583856.tif 000010
【図１０】
0003583856.tif 000011
【図１１】
0003583856.tif 000012
【図１２】
0003583856.tif 000013